(57)【特許請求の範囲】
【請求項１】
コンポジット信号と輝度信号及び色信号を受信するための第１の入力ポートを通じて入力された前記コンポジット信号と前記輝度信号及び前記色信号のうちの少なくとも１つの信号を選択的に出力する第１の選択部と、
コンポーネント信号を受信するための第２の入力ポートを通じて入力された前記コンポーネント信号を選択的に出力する第２の選択部と、
前記第１の選択部から出力された前記コンポジット信号と前記輝度信号をデジタル信号に変換する第１の変換部と、
前記第２の選択部から出力された前記コンポーネント信号と前記第１の選択部から出力された前記色信号をデジタル信号に変換する第２の変換部、及び
前記第２の選択部と前記第２の変換部との間に設けられ、前記第１の選択部から出力された前記色信号と前記第２の選択部から出力された前記コンポーネント信号を前記第２の変換部に選択的に割り当てる入力割当部とを含み、
前記コンポーネント信号が、輝度信号、色信号、スカートジャックを通じて入力されたＲＧＢ／ＦＢ、ＨＤＴＶ及びＤＶＤ信号のＹ／Ｐｂ／Ｐｒ、Ｙ／Ｃｂ／Ｃｒ、及びコンピュータから出力されたＲＧＢ／Ｈ／Ｖのうちの少なくとも１つを含み、
前記第２の選択部では、前記第２の入力ポートを通じて前記ＲＧＢ／ＦＢ信号または前記ＲＧＢ／Ｈ／Ｖ信号が入力されると、前記ＲＧＢ／ＦＢ信号または前記ＲＧＢ／Ｈ／Ｖ信号をそれぞれ分離し、該分離したＲＧＢ信号を前記第２の変換部に出力し、
前記第１の変換部が、第１のＡＤＣと第２のＡＤＣを備え、
前記第２の変換部が、４つ以下のＡＤＣからなり、
前記第２の変換部が、
前記ＲＧＢ／ＦＢ、前記Ｙ／Ｐｂ／Ｐｒ、前記Ｙ／Ｃｂ／Ｃｒ、前記ＲＧＢ／Ｈ／ＶのうちのＲ、Ｐｒ、及びＣｒ信号をデジタル信号に変換する第３のＡＤＣと、
前記ＲＧＢ／ＦＢ、前記Ｙ／Ｐｂ／Ｐｒ、前記Ｙ／Ｃｂ／Ｃｒ、前記ＲＧＢ／Ｈ／ＶのうちのＧとＹ信号をデジタル信号に変換する第４のＡＤＣと、
前記ＲＧＢ／ＦＢ、前記Ｙ／Ｐｂ／Ｐｒ、前記Ｙ／Ｃｂ／Ｃｒ、前記ＲＧＢ／Ｈ／ＶのうちのＢ、Ｐｂ、及びＣｂ信号をデジタル信号に変換する第５のＡＤＣと、
前記ＲＧＢ／ＦＢ、前記Ｙ／Ｐｂ／Ｐｒ、前記Ｙ／Ｃｂ／Ｃｒ、前記ＲＧＢ／Ｈ／ＶのうちのＦＢ信号をデジタル信号に変換する第６のＡＤＣと、
を含むことを特徴とする映像信号の復元装置。
【請求項２】
前記入力割当部が、
前記第２の選択部と前記第３のＡＤＣとの間に設けられ、前記第１の選択部から出力された前記色信号を前記第３のＡＤＣに割り当てる第１の入力割当部と、
前記第２の選択部と前記第５のＡＤＣとの間に設けられ、前記第１の選択部から出力された前記色信号を前記第５のＡＤＣに割り当てる第２の入力割当部と、
を含むことを特徴とする請求項１に記載の映像信号の復元装置。
【請求項３】
前記第１の変換部と前記第２の変換部で前記コンポジット信号、前記輝度信号、前記色信号、及び前記コンポーネント信号をデジタル信号に変換するために設定されたクランピングを指定し、該指定したクランピングをそれぞれ前記第１の変換部と前記第２の変換部に提供する同期指定部を更に含むことを特徴とする請求項２に記載の映像信号の復元装置。
【請求項４】
前記第１の変換部と前記第２の変換部でデジタル信号に変換された前記コンポジット信号、前記輝度信号、前記色信号、及び前記コンポーネント信号を主画面用信号と副画面用信号とに分離する入力チャネル選択部と、
前記入力チャネル選択部で分離された前記主画面の前記コンポジット信号、前記輝度信号、前記色信号、及び前記コンポーネント信号に対して画質改善のための信号処理を行う主画面信号処理部、及び
前記入力チャネル選択部で分離された前記副画面の前記コンポジット信号、前記輝度信号、前記色信号、及び前記コンポーネント信号に対し画質改善のための信号処理を行う副画面信号処理部と、
を更に含むことを特徴とする請求項３に記載の映像信号の復元装置 。
【請求項５】
前記主画面信号処理部と前記副画面信号処理部における前記信号処理が、前記デジタル信号の前記コンポジット信号、前記輝度信号、前記色信号、及び前記コンポーネント信号に対するノイズ減少、モーション検出、スケーリング、及びフィルタリングのうちの少なくとも１つの動作を含むことを特徴とする請求項４に記載の映像信号の復元装置。
【発明の詳細な説明】
【０００１】
【発明の属する技術分野】
本発明は、映像ディスプレイ装置に関し、より詳しくは、１つの入力部を通じて受信した異種のアナログ映像データを複数のアナログ−デジタルコンバーターを通じてデジタル映像信号に変換する映像ディスプレイ装置に関する。
【０００２】
【従来の技術】
本発明では、映像ディスプレイ装置としてＴＶを例に挙げて説明する。一般に、異種の映像データをデコードするＴＶは、１つの画面に主画面と副画面とを共に表示するＰＩＰ（Ｐｉｃｔｕｒｅ  Ｉｎ  Ｐｉｃｔｕｒｅ）機能または１つの画面に２つの映像を表示するダブルウィンドウ（Ｄｏｕｂｌｅ  Ｗｉｎｄｏｗ）機能を有している。かかるＴＶでは、少なくとも１つのデコーダーを通じてコンポジット映像信号とコンポーネント映像信号を受信する。この時、デコーダーには、受信したコンポジット映像信号とコンポーネント映像信号をデジタルフォーマットに変換するための複数のアナログ−デジタルコンバーター（以下、ＡＤＣと称する）が設けられる。
【０００３】
図１は、従来の異種の映像信号が再生できるＴＶを概略的に示したブロック図である。ＴＶは、デコーダー１１と、再生部１３と、表示部１５、及び画面１７とを有する。デコーダー１１は、外部から入力されたコンポジット信号である複合映像バースト同期信号（ＣＶＢＳ）とコンポーネント信号である輝度信号（Ｙ）／色信号（Ｃ）などをデジタル信号に変換する。また、デコーダー１１では、デジタル信号に変換されたＣＶＢＳ、Ｙ／Ｃ及びＲＧＢを元の信号に復元するための同期点を指定する。再生部１３では、デコーダー１１でデジタル信号に変換され同期点が指定されたＣＶＢＳ、Ｙ／Ｃ及びＲＧＢをその同期点を通じて元の信号に復元し、該元の信号に復元されたＣＶＢＳ、Ｙ／Ｃ及びＲＧＢを画面１７に表示されるサイズに応じて最適化させる。表示部１５では、ＣＶＢＳ、Ｙ／Ｃ及びＲＧＢが画面１７に表示されるために決められたサイズに応じて設定されたサイズ領域内の画面１７にＣＶＢＳ、Ｙ／Ｃ及びＲＧＢをディスプレイする。
【０００４】
一般に、デコーダー１１は、コンポジット信号とコンポーネント信号をそれぞれ受信し、それをＡＤＣに割り当てる２つの割当部（図示せず）を有する。この時、各割当部には、異種の映像信号が入力される。コンポジット信号及びコンポーネント信号を割り当てる割当部には、２つのＡＤＣ（図示せず）が接続され、コンポーネント信号を割り当てる割当部には、４つのＡＤＣ（図示せず）が接続される。これにより、コンポジット信号であるＣＶＢＳとコンポーネント信号であるＹ／Ｃは、２つのＡＤＣを通じてデジタル信号に変換される。なお、Ｙ／Ｃを除くコンポーネント信号であるＲＧＢとヨーロッパ型ＴＶにアプリケーションされたスカートジャック（ｓｃａｒｔ  ｊａｃｋ）を通じて入力されたＦＢ（Ｆａｓｔ  Ｂｌａｎｋｉｎｇ）信号などは、それぞれ４つのＡＤＣを通じてデジタル信号に変換される。
【０００５】
仮に、２つのＡＤＣが接続された割当部にＣＶＢＳとＹ／Ｃの３種の信号が入力されると、割当部では、ＹとＣを１つのＣＶＢＳに変換する。これにより、割当部では、２つのＣＶＢＳをそれぞれ２つのＡＤＣに伝送し、２つのＡＤＣでは、該受信したそれぞれのＣＶＢＳをデジタル信号に変換する。ところが、Ｙ／Ｃを１つのＣＶＢＳに変換する場合、元の映像信号に比べて画質の劣化が生じる。ゆえに、従来のＴＶでは、入力される信号のうちの少なくとも１つがＹ／Ｃである場合、２つのＡＤＣを通じてデジタル信号変換するために入力されたＹ／Ｃを１つのＣＶＢＳに合成変換しなければならないという問題点がある。
【０００６】
また、従来のＴＶでは、入力されたＹ／Ｃを１つのＣＶＢＳに変換することにより、元の映像信号に比べて画質の劣化が生じるという問題点がある。
【０００７】
なおかつ、前記のような問題点を解消するために２種のＹ／Ｃをデジタル信号に変換するＡＤＣの個数を４つに増大する場合、製品のコストが上昇するという問題点がある。
【０００８】
【発明が解決しようとする課題】
前記のような問題点を解決するための本発明の目的は、入力される映像信号の種類に関わらず再生による画質の劣化を防止することができるＴＶを提供することにある。
【０００９】
前記のような問題点を解決するための本発明の他の目的は、入力される映像信号の種類に関わらず設定されたＡＤＣのフォーマットを維持しながら映像信号のそれぞれをデジタルフォーマットに変換することができるＴＶを提供することにある。
【００１０】
前記のような問題点を解決するための本発明のまた他の目的は、２種のＹ／Ｃが入力される場合、４つのＡＤＣが必要になることによる製品コストの上昇を解消することができるＴＶを提供することにある。
【００１１】
【課題を解決するための手段】
前記のような目的は、本発明による複数のコンポジット信号と輝度信号及び色信号を受信するための第１の入力ポートを通じて入力されたコンポジット信号と輝度信号及び色信号のうちの少なくとも１つの信号を選択的に出力する第１の選択部と、コンポーネント信号を受信するための複数の第２の入力ポートを通じて入力されたコンポーネント信号を選択的に出力する第２の選択部と、第１の選択部から出力されたコンポジット信号と輝度信号をデジタル信号に変換する第１の変換部と、第２の選択部から出力されたコンポーネント信号と第１の選択部から出力された色信号をデジタル信号に変換する第２の変換部、及び第２の選択部と第２の変換部との間に設けられ、第１の選択部から出力された色信号と第２の選択部から出力されたコンポーネント信号を第２の変換部に選択的に割り当てる入力割当部と、を有する映像信号の復元装置により達成される。
【００１２】
好ましくは、第１の選択部では、前記コンポジット信号と輝度信号及び色信号のうちのコンポジット信号と輝度信号を第１の変換部に出力し、色信号を入力割当部に出力する。なお、入力割当部では、第１の選択部から出力された色信号が入力されると、該色信号を第２の変換部に割り当てる。
【００１３】
コンポジット信号は、複合映像信号である。また、コンポーネント信号は、輝度信号、色信号、スカートジャックを通じて入力されたＲＧＢ／ＦＢ、ＨＤＴＶ及びＤＶＤ信号のＹ／Ｐｂ／Ｐｒ、Ｙ／Ｃｂ／Ｃｒ、コンピュータから出力されたＲＧＢ／Ｈ／Ｖである。第２の選択部では、第２の入力ポートを通じてＲＧＢ／ＦＢ信号またはＲＧＢ／Ｈ／Ｖ信号が入力されると、ＲＧＢ／ＦＢ信号またはＲＧＢ／Ｈ／Ｖ信号をそれぞれ分離し、該分離したＲＧＢ信号を第２の変換部に出力する。
【００１４】
好ましくは、第１の変換部は、第１のＡＤＣと第２のＡＤＣの２つである。第２の変換部は、第２の選択部を通して入力されたＲＧＢ／ＦＢ、Ｙ／Ｐｂ／Ｐｒ、Ｙ／Ｃｂ／Ｃｒ、ＲＧＢ／Ｈ／Ｖのうちの設定による該当信号をデジタル信号に変換する第３のＡＤＣと、第４のＡＤＣと、第５のＡＤＣ、及び第６のＡＤＣと、を有する。第３ＡＤＣは、Ｒ、Ｐｒ及びＣｒ信号をデジタル信号に変換する。第４のＡＤＣは、ＧとＹ信号をデジタル信号に変換する。第５のＡＤＣは、Ｂ、Ｐｂ及びＣｂ信号をデジタル信号に変換する。第６ＡＤＣは、ＦＢ信号をデジタル信号に変換する。
【００１５】
入力割当部は、第１の入力割当部と第２の入力割当部を有する。第１の入力割当部は、第２の選択部と第３のＡＤＣとの間に設けられ、第１の選択部から出力された色信号を第３のＡＤＣに割り当てる。第２の入力割当部は、第２の選択部と第５のＡＤＣとの間に設けられ、第１の選択部から出力された色信号を第５のＡＤＣに割り当てる。
【００１６】
本発明による映像信号の復元装置は、同期指定部と、入力チャネル選択部と、主画面信号処理部、及び副画面信号処理部とを更に有する。
【００１７】
同期指定部では、第１の変換部と第２の変換部でコンポジット信号、輝度信号、色信号、及びコンポーネント信号をデジタル信号に変換するために設定されたクランピングを指定し、該指定したクランピングをそれぞれ第１の変換部と第２の変換部に提供する。
【００１８】
入力チャネル選択部では、第１の変換部と第２の変換部でデジタル信号に変換されたコンポジット信号、輝度信号、色信号、及びコンポーネント信号を主画面用信号と副画面用信号とに分離する。
【００１９】
主画面信号処理部では、入力チャネル選択部で分離された主画面のコンポジット信号、輝度信号、色信号、及びコンポーネント信号に対して画質改善のための信号処理を行う。
【００２０】
副画面信号処理部では、入力チャネル選択部で分離された副画面のコンポジット信号、輝度信号、色信号、及びコンポーネント信号に対し画質改善のための信号処理を行う。
【００２１】
なお、主画面信号処理部と副画面信号処理部における信号処理は、デジタル信号のコンポジット信号、輝度信号、色信号、及びコンポーネント信号に対するノイズ減少、モーション検出、スケーリング、及びフィルタリング動作を含む。
【００２２】
本発明によると、入力される映像信号の種類に関わらずそれぞれの映像信号をそれぞれのＡＤＣを通じてデジタル信号に変換することにより、既存と同じ個数のＡＤＣをもって映像信号に対する画質の劣化を防止し、且つ最適の画質を再生することができる。また、既存のＡＤＣ個数を有し、入力される映像信号のそれぞれをアナログ信号からデジタル信号に変換するように割当部を通じて割り当てることにより、製品生産にかかるコストを低減することができる。
【００２３】
【発明の実施の形態】
本発明の前述した目的及び特徴は、添付した図面を参照して本発明の好適な実施の形態の詳細を説明することにより、一層明白になるはずである。
【００２４】
以下では、図面を参照して本発明の詳細を説明する。
【００２５】
図２は、本発明による映像信号の復元装置の好適な実施の形態を示すブロック図である。同図における映像信号の復元装置は、複数の入力ポートが設けられた第１の選択部１００と、複数の入力ポートが設けられた第２の選択部２００と、第１の変換部３００と、第２の変換部４００と、入力割当部５００、及び入力チャネル選択部７６０とを有する。本実施の形態による映像信号の復元装置は、1つの画面（図示せず）に主画面と副画面とを共に表示するＰＩＰ機能、ＰＯＰ（Ｐｉｃｔｕｒｅ  Ｏｕｔ  Ｐｉｃｔｕｒｅ）機能または１つの画面に２つの映像を同一比率のサイズ領域に表示するダブルウィンドウ機能を有するＴＶにアプリケーションされる。
【００２６】
第１の選択部１００の入力ポートを通じて入力される映像信号は、コンポジット信号と輝度信号及び色信号である。コンポジット信号は、複合映像信号（ＣＶＢＳ）を含む。これにより、ＰＩＰ機能、ＰＯＰ機能またはダブルウィンドウ機能で作動中の時、第１の選択部１００に入力され得る信号は、コンポーネント信号のうちの輝度信号（Ｙ）と色信号（Ｃ）がある。この時、主画面用の信号として輝度信号（Ｙ１）、色信号（Ｃ１）及びＣＶＢＳ１がある。第１の選択部１００では、入力ポートを通じて入力されたコンポジット信号と輝度信号及び色信号を第１の変換部３００に選択的に割り当てる。好ましくは、第１の選択部１００では、入力ポートを通じて輝度信号（Ｙ１、Ｙ２）、複合映像信号（ＣＶＢＳ１、ＣＶＢＳ２）が入力されると、該入力された輝度信号（Ｙ１、Ｙ２）、複合映像信号（ＣＶＢＳ１、ＣＶＢＳ２）を第１の変換部３００に割り当てる。また、第１の選択部１００では、入力ポートを通じて色信号（Ｃ１、Ｃ２）が入力されると、該入力された色信号（Ｃ１、Ｃ２）を入力割当部５００に割り当てる。第２の選択部２００の入力ポートを通じて入力される映像信号は、Ｙ／Ｃを除くコンポーネント信号である。コンポーネント信号は、ヨーロッパ型ＴＶにアプリケーションされたスカートジャックを通じて入力されたＲＧＢ／ＦＢ信号、ＨＤＴＶ及びＤＶＤ信号であるＹ/Ｐｂ／Ｐｒ及びＹ／Ｃｂ／Ｃｒ、及びコンピュータから出力されたＲＧＢ／Ｈ／Ｖをいう。したがって、第２の選択部２００では、入力ポートを通じて入力されたコンポーネント信号を第２の変換部４００に選択的に割り当てる。好ましくは、第２の選択部２００では、入力ポートを通じてＲＧＢ１／ＦＢ１が入力されると、該入力されたＲＧＢ１をそれぞれ分離し、該分離したＲ１、Ｇ１、Ｂ１及びＦＢ１を第２の変換部４００に割り当てる。
【００２７】
第１の変換部３００では、第１のＡＤＣ３２０と第２のＡＤＣ３４０とを有する。第１のＡＤＣ３２０では、第１の選択部１００から出力された主画面のコンポジット信号と色信号をデジタル信号に変換する。第２のＡＤＣ３４０では、第１の選択部１００から出力された副画面のコンポジット信号と色信号をデジタル信号に変換する。好ましくは、第１のＡＤＣ３２０では、主画面の輝度信号（Ｙ１）と主画面の複合映像信号（ＣＶＢＳ1）をデジタル信号に変換し、第２のＡＤＣ３４０では、副画面の輝度信号（Ｙ２）と副画面の複合映像信号（ＣＶＢＳ１）をデジタル信号に変換する。第２の変換部４００は、第３のＡＤＣ４２０と、第４のＡＤＣ４４０と、第５のＡＤＣ４６０及び第６のＡＤＣ４８０とを有する。好ましくは、第３のＡＤＣ４２０では、第２の選択部２００から出力されたＲ、Ｐｒ、Ｃｒをデジタル信号に変換する。第４のＡＤＣでは、第２の選択部２００から出力されたＧ、Ｙをデジタル信号に変換する。第５のＡＤＣ４６０では、第２の選択部２００から出力されたＢ、Ｐｂ、Ｃｂをデジタル信号に変換する。第６のＡＤＣ４８０では、第２の選択部２００から出力されたＦＢをデジタル信号に変換する。
【００２８】
入力割当部５００は、第２の選択部２００と第２の変換部４００との間に設けられる。好ましくは、入力割当部５００では、第１の選択部１００から出力された色信号（Ｃ１、Ｃ２）及び第２の選択部２００から出力されたコンポーネント信号を選択的に第２の変換部４００に割り当てる。この時、入力割当部５００は、第１の割当部５２０と第２の割当部５４０とを有する。第１の割当部５２０では、第１の選択部１００から出力された色信号（Ｃ１、Ｃ２）のうちの主画面の色信号（Ｃ１）を第３のＡＤＣ４２０に割り当てる。これにより、第３のＡＤＣ４２０では、第１の割当部５２０から割り当てられた主画面の色信号（Ｃ１）をデジタル信号に変換する。また、第２の割当部５４０では、第１の選択部１００から出力された色信号（Ｃ１、Ｃ２）のうちの副画面の色信号（Ｃ２）を第５のＡＤＣ４６０に割り当てる。これにより、第５のＡＤＣ４６０では、第２の割当部５４０から割り当てられた副画面の色信号（Ｃ２）をデジタル信号に変換する。入力チャネル選択部７６０では、各ＡＤＣ３２０、３４０、４２０、４４０、４６０、４８０から出力されたコンポジット信号、輝度信号、色信号及びコンポーネント信号を主画面と副画面とに分離し、該分離した主画面と副画面の信号をそれぞれ出力する。
【００２９】
本実施の形態による映像信号の復元装置は、第１の変換部３００と第２の変換部４００でコンポジット信号、輝度信号、及びコンポーネント信号をデジタル信号に変換するためのクランピングを指定し、該指定されたクランピングを第１の変換部３００と第２の変換部４００とにそれぞれ提供する同期指定部７２０を有する。また、映像信号の復元装置は、入力チャネル選択部７６０からそれぞれ出力された主画面信号と副画面信号を処理する主画面信号処理部８２０と副画面信号処理部８４０とを有する。主画面信号処理部８２０では、入力チャネル選択部７６０から出力された主画面処理用映像信号に対しノイズ減少、モーション検出、スケーリング及びフィルタリングなどの信号処理を行う。副画面信号処理部８４０では、入力チャネル選択部７６０から出力された副画面処理用映像信号を入力されてノイズ減少、モーション検出、スケーリング及びフィルタリングを行う。
【００３０】
仮に、第１の選択部１００の入力ポートを通じて入力されたコンポジット信号の主画面が輝度信号（Ｙ１）／色信号（Ｃ１）であり、副画面が輝度信号（Ｙ２）／色信号（Ｃ２）である場合、第１の選択部１００では、主画面の輝度信号（Ｙ１）を第１のＡＤＣ３２０に出力し、副画面の輝度信号（Ｙ２）を第２のＡＤＣ３４０に出力する。この時、第１の選択部１００では、主画面の色信号（Ｃ１）を第１の割当部５２０に出力し、副画面の色信号（Ｃ２）を第２の割当部５４０に出力する。これにより、第１の割当部５２０では、主画面の色信号（Ｃ１）を第３のＡＤＣ４２０に割り当て、第２の割当部５４０では、副画面の色信号（Ｃ２）を第５のＡＤＣ４６０に割り当てる。これにより、第１のＡＤＣ３２０では、主画面の輝度信号（Ｙ１）に含まれている同期信号を同期指定部７２０に提供する。同期指定部７２０では、第１のＡＤＣ３２０から提供された同期信号からクランピングを指定し、第１のＡＤＣ３２０に提供する。第１のＡＤＣ３２０では、同期指定部７２０で提供されたクランピングにより主画面の輝度信号（Ｙ１）をデジタル信号に変換して入力チャネル選択部７６０に出力する。第２のＡＤＣ３４０では、副画面の輝度信号（Ｙ２）に含まれている同期信号を同期指定部７２０に提供し、同期指定部７２０から指定されたクランピングにより副画面の輝度信号（Ｙ２）をデジタル信号に変換して入力チャネル選択部７６０に出力する。第３のＡＤＣ４２０では、主画面の色信号（Ｃ１）に含まれている同期信号を同期指定部７２０に提供し、同期指定部７２０で指定したクランピングにより主画面の色信号（Ｃ１）をデジタル信号に変換し、入力チャネル選択部７６０に出力する。第５のＡＤＣ４６０では、副画面の色信号（Ｃ２）に含まれている同期信号を同期指定部７２０に提供し、同期指定部７２０で指定されたクランピングにより副画面の色信号（Ｃ２）をデジタル信号に変換し、入力チャネル選択部７６０に出力する。入力チャネル選択部７６０では、第１のＡＤＣ３２０と、第２のＡＤＣ３４０と、第３のＡＤＣ４２０、及び第５のＡＤＣ４６０でデジタル信号に変換された輝度信号（Ｙ１、Ｙ２）及び色信号（Ｃ１、Ｃ２）を、それぞれ主画面の輝度信号（Ｙ１）及び色信号と副画面の輝度信号（Ｙ２）及び色信号（Ｃ２）とに分離する。これにより、入力チャネル選択部７６０では、主画面の輝度信号（Ｙ１）と色信号（Ｃ１）を主画面信号処理部８２０に出力する。また、入力チャネル選択部７６０では、副画面の輝度信号（Ｙ２）と色信号（Ｃ２）を副画面信号処理部８４０に出力する。
【００３１】
したがって、主画面信号処理部８２０では、主画面の輝度信号（Ｙ１）／色信号（Ｃ１）の画質を改善するために信号処理を行う。副画面信号処理部８４０では、副画面の輝度信号（Ｙ２）／色信号（Ｃ２）の画質を改善するために信号処理を行う。
【００３２】
一方、第１の選択部１００に主画面がＣＶＢＳ１で副画面がＣＶＢＳ２のコンポジット信号が入力された場合、第１の選択部１００では、ＣＶＢＳ１を第１のＡＤＣ３２０に出力しＣＶＢＳ２を第２のＡＤＣ３４０に出力する。これにより、第１のＡＤＣ３２０では、ＣＶＢＳ１に含まれている同期信号を同期指定部７２０に提供し、同期指定部７２０で指定したクランピングによってＣＶＢＳ１をデジタル信号に変換して入力チャネル選択部７６０に出力する。第２のＡＤＣ３４０では、ＣＶＢＳ２に含まれている同期信号を同期指定部７２０に提供し、同期指定部７２０で指定したクランピングによってＣＶＢＳ２をデジタル信号に変換して入力チャネル選択部７６０に出力する。
【００３３】
第１の選択部１００に主画面がＣＶＢＳ１で副画面が輝度信号（Ｙ２）／色信号（Ｃ２）が入力された場合、第１の選択部１００では、主画面のＣＶＢＳ１を第１のＡＤＣ３２０に出力し、副画面の輝度信号（Ｙ２）を第２のＡＤＣ３４０に出力する。また、第１の選択部１００では、副画面の色信号（Ｃ２）を第２の割当部５４０に出力し、第２の割当部５４０では、入力された副画面の色信号（Ｃ２）を第５のＡＤＣ４６０に割り当てる。
【００３４】
第１の選択部１００に主画面が輝度信号（Ｙ１）／色信号（Ｃ１）で副画面がＣＶＢＳ２信号である信号が入力された場合、第１の選択部１００では、主画面の輝度信号（Ｙ１）を第１のＡＤＣ３２０に出力し、ＣＶＢＳ２を第２のＡＤＣ３４０に出力する。この時、第１の選択部１００では、主画面の色信号（Ｃ１）を第１の割当部５２０に出力し、第１の割当部５２０では、入力された副画面の色信号（Ｃ１）を第３のＡＤＣ４２０に割り当てる。
【００３５】
したがって、入力されるコンポジット信号、輝度信号、及び色信号の種類及び個数に対応するＡＤＣ個数を設けてデジタル変換するのではなく、映像信号のそれぞれに対応して第１のＡＤＣ３２０、第２のＡＤＣ３４０、第３のＡＤＣ４２０及び／または第５のＡＤＣ４６０を通じてデジタル信号に変換することができる。また、第１の選択部１００に輝度信号（Ｙ）／輝度信号（Ｃ）が入力される場合、分離され入力されたＹ／Ｃを１つのＣＶＢＳに変換することなくＹ／Ｃをそれぞれデジタル信号に変換することにより、映像信号の再生及びディスプレイ時の画質の劣化を防止することができる。
【００３６】
図３Ａ及び図３Ｂは、本発明による映像信号の復元装置を用いた映像信号の復元方法を示すフローチャートである。同図では、入力ポートを通じて入力可能なＣＶＢＳ信号のうち、主信号がＣＶＢＳ１で、副信号がＣＶＢＳ２である場合を例に挙げて説明する。入力ポートを通じて第１の選択部１００にコンポジット信号、輝度信号及び色信号のいずれかが入力されると、第１の選択部１００では、入力されたコンポジット信号を主画面と副画面とに分類する。
【００３７】
次いで、第１の選択部１００では、主画面がＣＶＢＳ1で副画面がＣＶＢＳ２であるか否かを判断する（Ｓ２１０）。入力されたコンポジット信号の主画面がＣＶＢＳ１で副画面がＣＶＢＳ２であると判断されると、第１の選択部１００では、ＣＶＢＳ１を第１のＡＤＣ３２０に出力し、ＣＶＢＳ２を第２のＡＤＣ３４０に出力する（Ｓ２３０）。第１のＡＤＣ３２０では、入力されたＣＶＢＳ１に含まれている同期信号を同期指定部７２０に提供し、同期指定部７２０で指定したクランピングによってＣＶＢＳ１をデジタル信号に変換する（Ｓ２５０）。また、第２のＡＤＣ３４０では、入力されたＣＶＢＳ２に含まれている同期信号を同期指定部７２０に提供し、同期指定部７２０で指定したクランピングによってＣＶＢＳ２をデジタル信号に変換する。
【００３８】
ステップ２１０で入力されたコンポジット信号の主画面と副画面がそれぞれＣＶＢＳ１、ＣＶＢＳ２でないと判断されると、第１の選択部１００では、入力されたコンポジット信号の主画面がＣＶＢＳ１で副画面が輝度信号（Ｙ２）／色信号（Ｃ２）であるか否かを判断する（Ｓ３１０）。入力されたコンポジット信号の主画面がＣＶＢＳ１で副画面が輝度信号（Ｙ２）／色信号（Ｃ２）であると判断されると、第１の選択部１００では、ＣＶＢＳ１を第１のＡＤＣ３２０に出力し、副画面の輝度信号（Ｙ２）を第２のＡＤＣ３４０に出力する（Ｓ３３０）。この時、第１の選択部１００では、副画面の色信号（Ｃ２）を第２の割当部５４０に出力し、第４の割当部５４０では、入力された副画面の色信号（Ｃ２）を第５のＡＤＣ４６０に出力する。これにより、第１のＡＤＣ３２０では、ＣＶＢＳ１に含まれている同期信号を同期指定部７２０に提供し、同期指定部７２０で指定したクランピングによってＣＶＢＳ１をデジタル信号に変換し、第２のＡＤＣ３４０では、副画面の輝度信号（Ｙ２）に含まれている同期信号を同期指定部７２０に提供し、同期指定部７２０で指定したクランピングによって副画面の輝度信号（Ｙ２）をデジタル信号に変換する（Ｓ３５０）。この時、第２の割当部５４０から出力された副画面の色信号（Ｃ２）を入力された第５のＡＤＣ４６０では、副画面の色信号（Ｃ２）に含まれている同期信号を同期指定部７２０に提供し、同期指定部７２０で指定したクランピングによって副画面の色信号（Ｃ２）をデジタル信号に変換する。
【００３９】
ステップ３１０で入力されたコンポジット信号の主画面がＣＶＢＳ１でなく、また副画面が輝度信号（Ｙ２）／色信号（Ｃ２）でないと判断されると、図３Ｂに示したように、入力されたコンポジット信号の主画面が輝度信号（Ｙ１）／色信号（Ｃ１）で副画面がＣＶＢＳ２であるか否かを判断する（Ｓ４１０）。入力されたコンポジット信号の主画面が輝度信号（Ｙ１）／色信号（Ｃ１）で副画面がＣＶＢＳ２であると判断されると、第１の選択部１００では、主画面の輝度信号（Ｙ１）を第１のＡＤＣ３２０に出力し、ＣＶＢＳ２を第２のＡＤＣ３４０に出力する（Ｓ４３０）。この時、第１の選択部１００では、主画面の色信号（Ｃ１）を第１の割当部５２０に出力し、第１の割当部５２０では、入力された主画面の色信号（Ｃ１）を第３のＡＤＣ（４２０）に割り当てる。これにより、第１のＡＤＣ３２０では、主画面の輝度信号（Ｙ１）に含まれている同期信号を同期指定部７２０に提供し、同期指定部７２０で指定したクランピングによって主画面の輝度信号（Ｙ１）をデジタル信号に変換し、第２のＡＤＣ３４０では、ＣＶＢＳ２に含まれている同期信号を同期指定部７２０に提供し、同期指定部７２０で指定したクランピングによってＣＶＢＳ２をデジタル信号に変換する（Ｓ４５０）。また、第３のＡＤＣ４２０では、主画面の色信号（Ｃ１）に含まれている同期信号を同期指定部７２０に提供し、同期指定部７２０で指定したクランピングによって主画面の色信号（Ｃ１）をデジタル信号に変換する。
【００４０】
Ｓ４１０で入力された信号の主画面が輝度信号（Ｙ１）／色信号（Ｃ１）でなく、また副画面がＣＶＢＳ２でないと判断されると、第１の選択部１００では、入力された信号の主画面が輝度信号（Ｙ１）／色信号（Ｃ１）で副画面が輝度信号（Ｙ２）／色信号（Ｃ２）であるか否かを判断する（Ｓ５１０）。入力された信号の主画面が輝度信号（Ｙ１）／色信号（Ｃ１）で副画面が輝度信号（Ｙ２）／色信号（Ｃ２）であると判断されると、第１の選択部１００では、主画面の輝輝度信号（Ｙ１）を第１のＡＤＣ３２０に出力し、副画面の輝度信号（Ｙ２）を第２のＡＤＣ３４０に出力する（Ｓ５３０）。また、第１の選択部１００では、主画面の色信号（Ｃ１）を第１の割当部５２０に出力し、副画面の色信号（Ｃ２）を第２の割当部５４０に出力する。第１の割当部５２０では、入力された主画面の色信号（Ｃ１）を第３のＡＤＣ４２０に割り当て、第２の割当部５４０では、入力された副画面の色信号（Ｃ２）を第５のＡＤＣ４６０に割り当てる。
【００４１】
これにより、第１のＡＤＣ３２０では、入力された主画面の輝度信号（Ｙ１）に含まれている同期信号を同期指定部７２０に提供し、同期指定部７２０で指定したクランピングによって主画面の輝度信号（Ｙ１）をデジタル信号に変換し、第２のＡＤＣ３４０では、入力された副画面の輝度信号（Ｙ２）に含まれている同期信号を同期指定部７２０に提供し、同期指定部７２０で指定したクランピングによって副画面の輝度信号（Ｙ２）をデジタル信号に変換する（Ｓ５５０）。また、第３のＡＤＣ４２０では、入力された主画面の色信号（Ｃ１）に含まれている同期信号を同期指定部７２０に提供し、同期指定部７２０で提供したクランピングによって主画面の色信号（Ｃ１）をデジタル信号に変換し、第５のＡＤＣ４６０では、入力された副画面の色信号（Ｃ２）に含まれている同期信号を同期指定部７２０に提供し、同期指定部７２０で指定したクランピングによって副画面の色信号（Ｃ２）をデジタル信号に変換する。
【００４２】
したがって、第１の選択部１００に入力された信号に色信号（Ｃ１、Ｃ２）が含まれている場合、色信号（Ｃ１、Ｃ２）は、第１の割当部５２０または第２の割当部５４０を通じて第３のＡＤＣ（４２０）または第５のＡＤＣ４６０に割り当てられてデジタル信号に変換されることにより、映像信号の再生及びディスプレイ時の画質の低下を防止することができる。
【００４３】
本実施の形態では、第１の選択部１００にＹ１／Ｃ１、Ｙ２／Ｃ２、ＣＶＢＳ１／ＣＶＢＳ２が入力される場合を例に挙げて説明しているが、Ｙ１／Ｃ１及びＹ２／Ｃ２を受信する入力ポートを通じてそれぞれＣＶＢＳ３、ＣＶＢＳ４、ＣＶＢＳ５、ＣＶＢＳ６を受信することもできる。また、本実施の形態では、主画面用信号と副画面用信号とが異なる場合の第１の選択部１００の出力動作を説明しているが、入力ポートを通じて入力される１つの信号に対して主画面と副画面が表示されるべく制御信号が入力されると、第１の選択部１００からは、入力された１つの信号を各々出力する。
【００４４】
一方、本実施の形態では、第１の選択部１００に主画面用信号と副画面用信号が入力される場合の動作を説明しているが、主画面用信号または副画面用信号が第１の選択部１００に、主画面用信号または副画面用信号が第２の選択部２００に入力される場合、第１の選択部に入力された信号は、第１の変換部３００でデジタル信号に変換され、第２の選択部２００に入力された信号は、第２の変換部４００でデジタル信号に変換されるようにすることができる。
【００４５】
【発明の効果】
以上で説明したように、本発明によると、入力される映像信号の種類に関わらずそれぞれの映像信号をそれぞれのＡＤＣを通じてデジタル信号に変換することにより、映像信号の再生による画質の劣化を防止することができる。
【００４６】
また、既存のＡＤＣ個数をもって入力される映像信号のそれぞれをデジタル信号に変換するために第３のＡＤＣと第５のＡＤＣとを共用に使用することにより、製品の生産コストを低減することができる。
【００４７】
本発明は、前述した特定の実施の形態に限定されるのではなく、請求の範囲で請求する本発明の要旨を逸脱しない範囲内で当該発明の属する技術分野における通常の知識を有する者であれば誰でも種々の変形実施が可能であることはもとより、そのような変形は、請求の範囲の記載の範囲内にあることはいうまでもない。
【図面の簡単な説明】
【図１】従来の異種の映像信号が再生可能なＴＶを概略的に示すブロック図である。
【図２】本発明によるＴＶの映像信号の復元装置の好適な実施の形態を示すブロック図である。
【図３Ａ】本発明によるＴＶの映像信号の復元装置を用いた映像信号の復元方法を示すフローチャートである。
【図３Ｂ】本発明によるＴＶの映像信号の復元装置を用いた映像信号の復元方法を示すフローチャートである。
【符号の説明】
１００  第１の選択部
２００  第２の選択部
３００  第１の変換部
３２０  第１のＡＤＣ
３４０  第２のＡＤＣ
４００  第２の変換部
４２０  第３のＡＤＣ
４４０  第４のＡＤＣ
４６０  第５のＡＤＣ
４８０  第６のＡＤＣ
５００  入力割当部
５２０  第１の割当部
５４０  第２の割当部
７２０  同期指定部
７６０  入力チャネル選択部
８２０  主画面信号処理部
８４０  副画面信号処理部
【図１】
0003773490.tif 000002
【図２】
0003773490.tif 000003
【図３Ａ】
0003773490.tif 000004
【図３Ｂ】
0003773490.tif 000005